(57)【要約】【課題】作業性の向上を図ることのできる切替弁を提供する。【解決手段】複数の出口３，４を周壁に開口した筒状の外筒１と、該外筒１の内部に回転自在に収容し、外筒１の何れかの出口３，４と連通する開口孔１７を周壁に開口した内筒１４とを備え、該内筒１４の回転により開口孔１７を外筒１の何れか一方の出口３，４と連通させ、内筒１４の内部を通過する湯水の流路を切り替えるようにした切替弁Ａにおいて、前記外筒１の両出口３，４周縁に密着する形状のシート部材９を一体に形成し、外筒１の内周壁で両出口３，４周縁には溝孔８が形成され、該溝孔８に前記シート部材９を装着するようにした。【選択図】　図１
2004125156.tif 000002
【特許請求の範囲】
【請求項１】
複数の出口を周壁に開口した筒状の外筒と、該外筒の内部に回転自在に収容し、外筒の何れかの出口と連通する開口孔を周壁に開口した内筒とを備え、該内筒の回転により開口孔を外筒の何れか一方の出口と連通させ、内筒の内部を通過する湯水の流路を切り替えるようにした切替弁において、前記外筒の両出口周縁に密着する形状のシート部材を一体に形成し、外筒の内周壁で両出口周縁には溝孔が形成され、該溝孔に前記シート部材を装着することを特徴とする切替弁。
【請求項２】
前記シート部材は、外筒の各出口と連通する連通孔がそれぞれ穿設された装着部と、各連通孔の周囲で表裏両側に突出したシール部とが一体に形成されたことを特徴とする請求項１記載の切替弁。
【請求項３】
前記外筒は一方に内筒を収容するための開口部を開口し、該開口部から軸方向に前記溝孔が形成されたことを特徴とする請求項１又は２記載の切替弁。
【請求項４】
前記外筒の周壁に開口された出口に、ストレーナを装着したことを特徴とする請求項１乃至３の何れかに記載の切替弁。
【発明の詳細な説明】
【０００１】
【発明の属する技術分野】
本発明は、湯水混合水栓等に使用され、湯水の流路を切り替えるための切替弁に関する。
【０００２】
【従来の技術】
浴室等で使用される湯水混合水栓は、湯水の流路を切り替えることのできる切替弁を装着し、湯水を吐水管又はシャワーヘッドの何れか一方から供給されるようにしたものが普及している。このような流路の切り替えのできる切替弁として公知のものに図６及び図７のものがある。この図６及び図７について簡単に説明すると、切替弁４０は略円筒状で周壁には第１出口４２と第２出口４３とが異なる方向に間隔を設けて開口した外筒４１と、該外筒４１の内部に収容され、前記第１出口４２と連通する第１連通口４５及び第２出口４３と連通する第２連通口４６とが開口した内筒４４と、該内筒４４の内部に回転自在に装着されたスピンドル４７とを備え、該スピンドル４７は内部に湯水が通過する通水路４８が穿設され、周壁には通水路４８を通過する湯水を前記内筒４４の連通口４５，４６及び外筒４１の各出口４２，４３の何れか一方へ供給するための供給口４９，４９が一対開口されている。そして、前記外筒４１の第１出口４２と内筒４４の第１連通口４５との間には、第１シール材５０及び第１押圧部材５１を装着し、外筒４１の第２出口４３と内筒４４の第２連通口４６との間には第２シール材５０ａ及び第２押圧部材５１ａを装着し、内筒４４と外筒４１との間のシールを行ない、スピンドル４７の通水路４８から外部への漏水を防止している。
【０００３】
従って、スピンドル４７を回転させるとスピンドル４７の供給口４９は、内筒４４の第１連通口４５及び外筒４１の第１出口４２、又は内筒４４の第２連通口４６及び外筒の第２出口４３の何れかに連通し、各出口４２，４３と連通している吐水管又はシャワーヘッドの何れか一方から湯水を供給するものである。
【０００４】
前記切替弁を組立てるには、内筒の各連通口にシール材と押圧部材を重ね合わせた状態で、内筒を外筒の内部に収容し、外筒の内周面で各出口の周囲に密着させる必要がある。この場合シール材と押圧部材の２つの物品を２組用意しておき、異なる連通口にそれぞれ装着する必要があり、各物品を手でしっかり連通口の周囲へ押さえつけた状態で、内筒を外筒の内部に収容するのは作業性が悪く、外筒への収容時に各物品は落下しやすく、シール材を各出口の周囲に正常に密着させることができない場合が発生し、場合によってはシール材又は押圧部材を落下した状態のまま組立ててしまい、その解決手段が望まれていた。
【０００５】
【発明が解決しようとする課題】
本発明が解決しようとする課題は、作業性の向上を図ることのできる切替弁を提供するものである。
【０００６】
【課題を解決するための手段】
本発明は請求項１では、複数の出口を周壁に開口した筒状の外筒と、該外筒の内部に回転自在に収容し、外筒の何れかの出口と連通する開口孔を周壁に開口した内筒とを備え、該内筒の回転により開口孔を外筒の何れか一方の出口と連通させ、内筒の内部を通過する湯水の流路を切り替えるようにした切替弁において、前記外筒の両出口周縁に密着する形状のシート部材を一体に形成し、外筒の内周壁で両出口周縁には溝孔が形成され、該溝孔に前記シート部材を装着するものである。
【０００７】
請求項２では、前記シート部材は、外筒の各出口と連通する連通孔がそれぞれ穿設された装着部と、各連通孔の周囲で表裏両側に突出したシール部とが一体に形成されたものである。
【０００８】
請求項３では、前記外筒は一方に内筒を収容するための開口部を開口し、該開口部から軸方向に前記溝孔が形成されたものである。
【０００９】
請求項４では、前記外筒の周壁に開口された出口に、ストレーナを装着したものである。
【００１０】
【発明の実施の形態】
以下、本発明の実施の形態を図に基づいて詳細に説明する。
本発明の切替弁Ａは例えば混合水栓の混合室に装着されて、湯水の流路を吐水管又はシャワーヘッド等に切り替えるものであり、図１及び図２に示すように、中空円筒状の外筒１と、該外筒１の内部に回転自在に収容される内筒１４とを備えている。前記外筒１の一端には、内筒１４を軸方向に収容するための開口部２を開口し、周壁には軸方向の同一軸線上に第１出口３と第２出口４とが開口され、両出口３，４の何れか一方は、混合水栓の吐水管と接続する流路と連通し、他方はシャワーヘッドと接続するホースへの流路と連通している。さらに外筒１の他端部中央には、前記開口部２より小径の挿通孔５が開口している。
【００１１】
前記外筒１の外周面には両出口３，４の間及び両出口３，４の外側両端の計３箇所に環状溝６が形成され、各環状溝６にはシール材７がそれぞれ装着されている。また、外筒１の内壁面には両出口３，４の周囲に、軸方向に沿って溝孔８が形成され、該溝孔８にはシート部材９が装着されるものである。該シート部材９は外筒１の内壁面と内筒１４の外壁面との間を水密的にシールするものであり、ゴム，合成樹脂，その他の弾性体を素材とし、外筒１の両出口３，４の内壁面に密着され、両出口３，４の孔形状よりやや大きめの第１連通孔１１と第２連通孔１２とが穿設された薄肉の板状で略長方形に形成された装着部１０と、両連通孔１１，１２の周囲で表裏両側に突出したシール部１３とが一体に形成されている。該シール部１３は両出口３，４の内壁面及び内筒１４の外壁面に水密的に密着させることで、両出口３，４の周囲の内壁面と内筒１４の外周面の間を水密的にシールするものである。
【００１２】
前記内筒１４は外筒１の内部に回転自在に収容されるものであり、一端には前記外筒１の挿通孔５を挿通するスピンドル１５が一体に形成され、外筒１の開口部２から挿通孔５に向けて同軸となるように収容される。内筒１４の他端には湯水の入口部１６が開口し、周面には一対の開口孔１７，１７が開口され、互いの開口孔１７，１７は周面に間隔を設けて異なる方向に開口している。
【００１３】
前記スピンドル１５の先端にはハンドル（図示省略）が装着され、該ハンドルの回転操作により内筒１４は外筒１の内部を回転し、内筒１４の入口部１６を通過する湯水は、何れか一方の開口孔１７から外筒１の第１出口３又は第２出口４の何れかに供給される。
【００１４】
以上の構成において、切替弁Ａを組立てるには、まず外筒１の開口部２から溝孔８にシート部材９を挿入して装着する。この場合、シート部材９は装着部１０に第１連通孔１１と第２連通孔１２とが穿設されており、外筒１の内周側で第１連通孔１１を第１出口３に重ね合わせ、第２連通孔１２を第２出口４に重ね合わせ、シート部材９のシール部１３を各出口３，４の周囲に水密的に密着させる。このようにシート部材は装着部とシール部とが一体なので、外筒の溝孔に容易に装着することができる。
【００１５】
次に外筒１の開口部２に内筒１４を挿入し、スピンドル１５を他方の挿通孔５から突出させる。そして、切替弁Ａは挿通孔５から突出したスピンドル１５を回転させると、内筒１４は回転して一方の開口孔１７が外筒１の第１出口３又は第２出口４の何れか一方に連通する。これにより、内筒１４の入口部１６から供給される湯水を、吐水管又はシャワーヘッドの何れかに供給することができる。
【００１６】
図４及び図５は本発明の別の実施例であり、切替弁は、外筒に開口された出口の外周にストレーナを装着したものである。なお、先の実施例と同一構造のものには同一符号を付し、詳細な説明は省略する。
【００１７】
切替弁Ｂは図４及び図５に示すように、中空円筒状の外筒１と、該外筒１の内部に回転自在に収容される内筒１４とを備えている。前記外筒１は、一端に内筒１４を軸方向に収容するための開口部２を開口し、周壁には軸方向の同一軸線上に第１出口３と第２出口４とが開口され、該両出口３，４の外周にはストレーナ１８，１９がそれぞれ装着されている。また、該両出口３，４の何れか一方は、混合水栓の吐水管と接続する流路と連通し、他方はシャワーヘッドと接続するホースへの流路と連通している。さらに外筒１の他端部中央には、前記開口部２より小径の挿通孔５が開口している。
【００１８】
前記ストレーナ１８，１９はリング状で、外筒１に開口された各出口３，４より広い幅であり、出口３，４の外周に覆うようにそれぞれ装着されている。
【００１９】
以上の構成において、切替弁Ｂは挿通孔５から突出したスピンドル１５を回転させると、内筒１４は回転して一方の開口孔１７が外筒１の第１出口３又は第２出口４の何れか一方に連通する。この時、内筒１４の入口部１６から供給された湯水は、出口３又は４からストレーナ１８又は１９を通過するので、砂，ゴミ等の異物を除去することができる。また、出口３又は４を通過する際に、湯水はストレーナ１８又は１９に当たりながら通過するので、湯水の流水音を低減させることができる。
【００２０】
【発明の効果】
本発明の切替弁は、外筒と内筒の間で水密性を確保するために装着されるシート部材を単一の物品としたので、少ない部品点数で組立てることができ、組立時の作業性が大幅に向上する。従って大量生産に適しており、生産コストを低減することができる。また切替弁の点検のための分解も容易に行なうことができる。
【００２１】
また、シート部材が装着される溝孔は、外筒の開口部から軸方向に形成されているので、開口部から容易に装着することができる。
【００２２】
さらに、外筒に開口された出口にストレーナを装着したので、砂，ゴミ等の異物を除去することができる。また、湯水は出口を通過する際にストレーナに当たるので、湯水の流水音を低減させることができる。
【図面の簡単な説明】
【図１】本発明の切替弁の分解斜視図である。
【図２】切替弁の縦断面図である。
【図３】図２におけるＸ−Ｘ線断面図である。
【図４】本発明の別の実施例であり、外筒に開口された出口にストレーナを装着した切替弁の分解斜視図である。
【図５】切替弁の縦断面図である。
【図６】従来の切替弁の分解斜視図である。
【図７】図６の切替弁の縦断面図である。
【符号の説明】
１　　　　　　　　外筒
２　　　　　　　　開口部
３　　　　　　　　第１出口
４　　　　　　　　第２出口
８　　　　　　　　溝孔
９　　　　　　　　シート部材
１０　　　　　　　装着部
１１　　　　　　　第１連通孔
１２　　　　　　　第２連通孔
１３　　　　　　　シール部材
１４　　　　　　　内筒
１８，１９　　　　ストレーナ
Ａ，Ｂ　　　　　　切替弁
【図１】
2004125156.tif 000003
【図２】
2004125156.tif 000004
【図３】
2004125156.tif 000005
【図４】
2004125156.tif 000006
【図５】
2004125156.tif 000007
【図６】
2004125156.tif 000008
【図７】
2004125156.tif 000009